【手続補正書】
【提出日】平成23年5月13日(2011.5.13)
【手続補正１】
【補正対象書類名】明細書
【補正対象項目名】００１５
【補正方法】変更
【補正の内容】
【００１５】
上述したように、非架橋型アクリル重合体は、好ましくは非架橋型アクリル共重合体である。適切には、非架橋型アクリル共重合体は、本明細書において定義されるような、６０重量％以上のメチルメタクリレート単量体、および４０重量％以下の１つまたは複数のアルキル（アルク）アクリレート共単量体を重合することによって得られる。より好ましくは、非架橋型アクリル共重合体は、本明細書において定義されるような、６０重量％以上のメチルメタクリレート単量体、および４０重量％以下の１つまたは複数のアルキルアクリレート共単量体を重合することによって得られる。好適には前記アクリル共重合体のアルキル（アルク）アクリレート共単量体が、アルキルアクリレート共単量体を含む。好ましいアルキルアクリレート共単量体は、メチルアクリレート、エチルアクリレート、ｎ−プロピルアクリレート、イソ−プロピルアクリレート、ｎ−ブチルアクリレート、イソ−ブチルアクリレート、ｔｅｒｔ−ブチルアクリレート、ペンチルアクリレート、ｎ−ヘキシルアクリレート、シクロヘキシルアクリレート、２−エチルヘキシルアクリレート、ヘプチルアクリレートおよびオクチルアクリレートを含む、Ｃ１−Ｃ８アルキルアクリレート共単量体を含む。好適には前記１つまたは複数のＣ１からＣ８のアルキルアクリレート共単量体が、メチルアクリレート、エチルアクリレート、プロピルアクリレート、ブチルアクリレートおよびその混合物からなる群から選択される。さらなる好ましいアルキルアクリレート共単量体は、Ｃ１−Ｃ４アルキルアクリレート共単量体およびエチルヘキシルアクリレートを含む。最も好ましいアルキルアクリレート共単量体は、メチルアクリレート、エチルアクリレート、ｎ−プロピルアクリレート、イソプロピルアクリレート、ｎ−ブチルアクリレート、イソ−ブチルアクリレートおよびｔｅｒｔ−ブチルアクリレートなどのＣ１−Ｃ４アルキルアクリレート共単量体、特にメチルアクリレート、エチルアクリレート、ｎ−プロピルアクリレートおよびｎ−ブチルアクリレートを含む。
【手続補正２】
【補正対象書類名】明細書
【補正対象項目名】００２０
【補正方法】変更
【補正の内容】
【００２０】
適切には、非架橋型アクリル共重合体は、非架橋型アクリル共重合体の全重量に基づいて、４０重量％以下の、好ましくは３０重量％以下の、より好ましくは２０重量％以下の、最も好ましくは１０重量％以下の本明細書において定義されるような１つまたは複数の
アルキル（アルク）アクリレート共単量体を含む。
好適には、前記アクリル共重合体が、８０〜９９重量％、好ましくは９０〜９９重量％のメチルメタクリレート単量体、および２０〜１重量％、好ましくは１０〜１重量％の１つまたは複数のアルキル（アルク）アクリレート共単量体を重合することによって得られる。
【手続補正３】
【補正対象書類名】明細書
【補正対象項目名】００４９
【補正方法】変更
【補正の内容】
【００４９】
好ましい態様に従って、本発明の組成物は、組成物の靭性を向上させるための衝撃強度改質剤をさらに含む。適切な衝撃強度改質剤は、スチレン−ブタジエン共重合体（ＳＢＣ）、機能性エチレン重合体、エチレン−プロピレン−ジエン共重合体（ＥＰＤＭ）、エチレン−酢酸ビニル共重合体（ＥＶＡ）、ブタジエンベースの重合体、スチレン−オレフィン共重合体、メタクリレート−ブタジエン−スチレン（ＭＢＳ）共重合体、およびアクリルベースの衝撃強度改質剤などのゴム状共重合体を含む。前記衝撃強度改質剤は、好適にはアクリルベースの衝撃強度改質剤またはメタクリレート−ブタジエン−スチレン（ＭＢＳ）ベースの衝撃強度改質剤、好ましくはＭＢＳベースの衝撃強度改質剤を含む。衝撃強度改質剤は、本発明の組成物中に存在する場合、ポリアクリロニトリルを含むグラフト共重合体、非架橋型アクリル重合体および芳香族ポリカーボネートとは、物理的および化学的に異なることが理解されるだろう。用語「ゴム状共重合体」によって、室温未満、好ましくは０℃以下の、より好ましくは−１０℃以下の、さらにより好ましくは−２０℃以下の、さらにより好ましくは−３０℃以下の、さらにより好ましくは−４０℃以下のガラス転移温度を有する材料を意味する。いくつかの実施形態において、材料は、−５０℃以下の、好ましくは約−８０℃以下のガラス転移温度を有することができる。
【手続補正４】
【補正対象書類名】明細書
【補正対象項目名】００５２
【補正方法】変更
【補正の内容】
【００５２】
非常に好ましい衝撃強度改質剤は、ＭＢＳ衝撃強度改質剤およびアクリルベースの衝撃強度改質剤（ＡＩＭ）などのコアシェル型の衝撃強度改質剤を含む。前記衝撃強度改質剤は、好適にはコアシェル型重合体粒子の形態にある。ＭＢＳ衝撃強度改質剤は、典型的にはスチレンおよびブタジエンのエラストマーコア、およびメチルメタクリレートホモ重合体またはメチルメタクリレート−スチレン共重合体を含む硬質シェルを含む。アクリルベースの衝撃強度改質剤は、典型的には、本明細書において定義されるような１つまたは複数のアルキル（アルク）アクリレートモノマーから得られる樹脂を含むコア、および同じく典型的には１つまたは複数のアルキル（アルク）アクリレートモノマーから得られる樹脂を含む硬質シェルを含む。アクリルベースの衝撃強度改質剤は、中間相もまた含むことができ、スチレンなどのスチレン型単量体の重合によって得られる樹脂を含む。アクリルベースの衝撃強度改質剤と比較して、ＭＢＳ衝撃強度改質剤の含有は、典型的にはより低い温度（例えば−２０℃）で耐衝撃性の向上をもたらす。
【手続補正５】
【補正対象書類名】明細書
【補正対象項目名】００５６
【補正方法】変更
【補正の内容】
【００５６】
適切には、本発明の組成物の２６０℃でのメルトフローインデックス（ＭＦＩ）（以下に検討するように５ｋｇ／ｃｍ３の負荷を使用してＩＳＯ１１３３：１９９７に従って確立される）は、非架橋型アクリル重合体（ｉｉｉ）を含まない芳香族ポリカーボネート（ｉ）を同一のレベルで含み、非架橋型アクリル重合体（ｉｉｉ）がポリアクリロニトリルを含む同一の量のグラフト共重合体（ｉｉ）で置換される、同等の組成物のＭＦＩ値よりも、少なくとも５％大きい、好ましくは少なくとも１０％大きい、より好ましくは少なくとも１５％大きい、さらにより好ましくは少なくとも２０％大きい、さらにより好ましくは少なくとも３０％大きい、さらにより好ましくは少なくとも４０％大きい、最も好ましくは少なくとも５０％大きい。
好適には、ＩＳＯ１１３３：１９９７に従って測定されるような、５ｋｇ／ｃｍ３の負荷を適用する２６０℃での前記組成物のメルトフローインデックスが、同等レベルの芳香族ポリカーボネートを含みかつ非架橋型アクリル重合体を含まない、同等の組成物よりも少なくとも５％大きい。
【手続補正６】
【補正対象書類名】特許請求の範囲
【補正対象項目名】全文
【補正方法】変更
【補正の内容】
【特許請求の範囲】
【請求項１】
（ｉ）芳香族ポリカーボネートと、
（ｉｉ）ポリアクリロニトリルを含むグラフト共重合体と、
（ｉｉｉ）６５，０００ダルトン（Ｄａ）以下の重量平均分子量（Ｍｗ）を有する非架橋型アクリル重合体と、
の混合物を含む組成物。
【請求項２】
前記非架橋型アクリル重合体が、６０〜１００重量％のメチルメタクリレート単量体および０〜４０重量％の１つまたは複数のアルキル（アルク）アクリレート共単量体の重合によって得られる重合体を含む、請求項１に記載の組成物。
【請求項３】
前記非架橋型アクリル重合体が、６０〜９９．９重量％のメチルメタクリレート単量体および０．１〜４０重量％の１つまたは複数のアルキル（アルク）アクリレート共単量体の重合によって得られるアクリル共重合体を含む、請求項１または２に記載の組成物。
【請求項４】
前記非架橋型アクリル重合体が、組成物の全重量に基づいて、３重量％以上の、好ましくは５重量％以上の量で存在する、請求項１〜３のいずれか一項に記載の組成物。
【請求項５】
前記非架橋型アクリル重合体が、組成物の全重量に基づいて、２５重量％以下の、好ましくは２０重量％以下の量で存在する、請求項１〜４のいずれか一項に記載の組成物。
【請求項６】
前記ポリアクリロニトリルを含むグラフト共重合体が、組成物の全重量に基づいて、０．５重量％以上の、好ましくは２重量％以上の量で存在する、請求項１〜５のいずれか一項に記載の組成物。
【請求項７】
前記ポリアクリロニトリルを含むグラフト共重合体が、組成物の全重量に基づいて、６０重量％以下の、好ましくは４０重量％以下の量で存在する、請求項１〜６のいずれか一項に記載の組成物。
【請求項８】
前記芳香族ポリカーボネートが、ビスフェノール、好ましくは２，２−ビス−（４−ヒドロキシフェニル）−プロパン（ビスフェノールＡ）から得られる、請求項１〜７のいずれか一項に記載の組成物。
【請求項９】
前記芳香族ポリカーボネートが、組成物の全重量に基づいて、３０重量％以上の、好ましくは３５重量％以上の量で存在する、請求項１〜８のいずれか一項に記載の組成物。
【請求項１０】
前記芳香族ポリカーボネートが、組成物の全重量に基づいて、９０重量％以下の、好ましくは８５重量％以下の量で存在する、請求項１〜９のいずれか一項に記載の組成物。
【請求項１１】
衝撃強度改質剤をさらに含む、請求項１〜１０のいずれか一項に記載の組成物。
【請求項１２】
溶融加工用途において使用するための、請求項１〜１１のいずれか一項に記載の組成物。
【請求項１３】
請求項１〜１１のいずれか一項において定義されるような芳香族ポリカーボネート、請求項１〜１１のいずれか一項において定義されるようなポリアクリロニトリルを含むグラフト共重合体、および請求項１〜１１のいずれか一項において定義されるような非架橋型アクリル重合体を混合することを含む、請求項１〜１１のいずれか一項において定義されるような組成物を製造するプロセス。
【請求項１４】
請求項１〜１２のいずれか一項において定義されるような組成物を含む物品。
【請求項１５】
請求項１〜１２のいずれか一項において定義されるような組成物を溶融して型に加えること、溶融組成物を型の中で固結させて物品を形成すること、および型から物品を取り出すことを含む、物品を製造する方法。
【請求項１６】
請求項１〜１２のいずれか一項において定義されるような組成物を射出成形することを含む、物品を形成する方法。
【請求項１７】
請求項１〜１２のいずれか一項において定義されるような芳香族ポリカーボネート、および請求項１〜１２のいずれか一項において定義されるようなポリアクリロニトリルを含むグラフト共重合体を含み、任意で衝撃強度改質剤または強化繊維、あるいはその両方を含む、混合物のメルトフローレート向上のための添加剤としての、請求項１〜１２のいずれか一項において定義されるような非架橋型アクリル重合体の使用。
【請求項１８】
請求項１〜１２のいずれか一項において定義されるような芳香族ポリカーボネート、および請求項１〜１２のいずれか一項において定義されるようなポリアクリロニトリルを含むグラフト共重合体を含み、任意で衝撃強度改質剤または強化繊維、あるいはその両方を含む、混合物の成形用途における加工サイクル時間を減少させるための添加剤としての、請求項１〜１２のいずれか一項において定義されるような非架橋型アクリル重合体の使用。
【請求項１９】
請求項１〜１２のいずれか一項において定義されるような６５，０００ダルトン（Ｄａ）以下の重量平均分子量（Ｍｗ）を有する、非架橋型アクリル重合体。